(57)【特許請求の範囲】
【請求項１】
電力を消費する負荷が接続される出力端子と、出力端子の一側を常時ＯＮ線または停電時ＯＦＦ線のどちらかに接続する選択スイッチと、常時ＯＮ線の電圧である供給電圧を監視し、常時ＯＮ線と常時ＯＦＦ線の間の電路の開閉状態を制御する電圧低下時遮断回路と、電圧低下時遮断回路に作用し上記電路の開閉状態を初期化するリセット回路とを備えていて、
電圧低下時遮断回路は、上記供給電圧の低下を検出すると停電時ＯＦＦ線を上記電路から遮断し、その後リセット回路を動作させるまでは上記供給電圧の変化に関わらず停電時ＯＦＦ線の遮断を保持し、リセット回路を動作させると停電時ＯＦＦ線を上記電路に接続することを特徴とする電源遮断装置。
【請求項２】
電力を消費する負荷が接続される出力端子と、出力端子の一側を常時ＯＮ線または停電時ＯＦＦ線のどちらかに接続する選択スイッチと、常時ＯＮ線の電圧を監視し、基準電圧よりも常時ＯＮ線の電圧が高い場合には第１の信号を、基準電圧よりも常時ＯＮ線の電圧が低い場合には第２の信号を出力する比較回路と、リセット信号を出力するリセット回路と、第１の信号と第２の信号とリセット信号に基づいて、第３の信号または第４の信号を出力する論理回路と、停電時ＯＦＦ線と常時ＯＮ線の間に設けられ、論理回路から第３の信号が出力されると閉状態になり、第４の信号が出力されると開状態になるスイッチング素子とを備えていて、
論理回路は、比較回路の出力が第１の信号から第２の信号に変化すると出力を第３の信号から第４の信号に反転し、その後リセット信号が入力されるまでは比較回路の出力に関わらず第４の信号を保持し、リセット信号が入力されると保持している第４の信号を第３の信号に反転することを特徴とする電源遮断装置。
【請求項３】
リセット回路と選択スイッチが装置の筐体に設けられていることを特徴とする請求項１または２に記載の電源遮断装置。
【請求項４】
リセット回路を装置の外部から操作できることを特徴とする請求項１または２に記載の電源遮断装置。
【請求項５】
選択スイッチは３点切り換えタイプであり、出力端子の一側を常時ＯＮ線、停電時ＯＦＦ線またはゼロ電位点に接続することを特徴とする請求項１または２に記載の電源遮断装置。
【請求項６】
論理回路はＤ−フリップフロップ回路であることを特徴とする請求項２に記載の電源遮断装置。
【請求項７】
常時ＯＮ線に繋がっている降圧型の変圧器と、変圧器の出力を直流に変換するコンバータを備えていて、コンバータの出力が比較回路に入力されることを特徴とする請求項２に記載の電源遮断装置。
【請求項８】
電力を消費する負荷が接続される複数の出力端子と、出力端子のそれぞれに対応して設けられ、出力端子の一側を常時ＯＮ線または停電時ＯＦＦ線のどちらかに接続する選択スイッチと、常時ＯＮ線の電圧を監視し、基準電圧よりも常時ＯＮ線の電圧が高い場合には第１の信号を、基準電圧よりも常時ＯＮ線の電圧が低い場合には第２の信号を出力する比較回路と、リセット信号を出力するリセット回路と、第１の信号と第２の信号とリセット信号に基づいて、第３の信号または第４の信号を出力する論理回路と、停電時ＯＦＦ線と常時ＯＮ線の間に設けられ、論理回路から第３の信号が出力されると閉状態になり、第４の信号が出力されると開状態になるスイッチング素子とを備えていて、
論理回路は、比較回路の出力が第１の信号から第２の信号に変化すると出力を第３の信号から第４の信号に反転し、その後リセット信号が入力されるまでは比較回路の出力に関わらず第４の信号を保持し、リセット信号が入力されると保持している第４の信号を第３の信号に反転することを特徴とするテーブルタップ。
【請求項９】
電力供給側に繋がれる主ブレーカと、主ブレーカから分岐した複数の子ブレーカと、子ブレーカのそれぞれに対応して設けられ、子ブレーカの一側を常時ＯＮ線または停電時ＯＦＦ線のどちらかに接続する選択スイッチと、常時ＯＮ線の電圧を監視し、基準電圧よりも常時ＯＮ線の電圧が高い場合には第１の信号を、基準電圧よりも常時ＯＮ線の電圧が低い場合には第２の信号を出力する比較回路と、リセット信号を出力するリセット回路と、第１の信号と第２の信号とリセット信号に基づいて、第３の信号または第４の信号を出力する論理回路と、停電時ＯＦＦ線と常時ＯＮ線の間に設けられ、論理回路から第３の信号が出力されると閉状態になり、第４の信号が出力されると開状態になるスイッチング素子とを備えていて、
論理回路は、比較回路の出力が第１の信号から第２の信号に変化すると出力を第３の信号から第４の信号に反転し、その後リセット信号が入力されるまでは比較回路の出力に関わらず第４の信号を保持し、リセット信号が入力されると保持している第４の信号を第３の信号に反転することを特徴とする分電盤。
【発明の詳細な説明】
【技術分野】
【０００１】
この発明は、停電に対応した電源遮断装置に関するものである。
【背景技術】
【０００２】
商用電源の停電時には、非常用電源を用いることによって需要側の負荷に電力の供給を継続することができる。しかしながら、非常用電源の電力容量は限られているため、全ての負荷に対して非常用電源から電力供給を継続すると、電力供給は制限を受け、補償時間が短くなる。特に、データセンターなどで用いられる直流配電システムなどの直流系では、供給電圧自体が大きく低下することが予想され、コンピュータなどの直流機器に対する影響は大きい。また、直流、交流を問わず、電圧が低下した状態で電力の供給が継続されると、機器の状態によっては安全性を確保できないことが考えられる。
【０００３】
地震などの災害による停電の場合には、電気ストーブなど、非常用電源による電力供給によって、逆に火災等の二次災害が想定される。このような負荷に対しては、停電から電力供給が復帰しても、電力供給を停止することが望ましい。従って、非常用電源を用いた電力供給系では、電力を供給する需要側の負荷を選択し、安全で、必要最低限の負荷に対してのみ電力を供給する必要がある。必要最低限の負荷を選択するために、商用電源のコンセントとは別に、非常用電源にバックアップされたコンセントを別途設けることが考えられる。この場合、コンセントの選択をすることはできるが、商用電源の配電線とは別の配電線を施設する必要がある。
【０００４】
そこで、商用電源の配電線を用いることを前提に、負荷を選択する工夫がいくつか提案されている。特許文献１は、直流配電システムに関するもので、非常用電源の負荷を減らす方法を開示している。それぞれの負荷には個別に検出器が設けられている。非常用電源のエネルギー残量が低下した場合、直流母線の電圧を周期的に低下させて（あるいは周期的に上昇させて）、優先度の低い負荷から順番に切り離していく。
【０００５】
特許文献２は、直流電源装置を長時間使用する方法を開示している。直流配電システムに対応する各機器には個別に機器切り離し手段が設けられている。直流電源装置の電圧が低下すると、各機器は、予め定められた優先度に従って、優先度の低い順に、機器切り離し手段によってラインから切り離される。
【０００６】
特許文献３が対象にする交流配電システムにおいては、災害に繋がる可能性のある機器にそれぞれ子機が置かれている。親機で地震や停電を検知すると、無線で信号を子機に送信し、通電を遮断する。
【０００７】
これらの方法では、それぞれの機器に検出器や通信手段を設ける必要があり、コスト高になる。また、一時的な停電か、地震などの災害による停電かによって、停電時に必要な機器は異なる上に、夜間か昼間かなどの時間帯や曜日、季節などによっても、停電中に電力が必要とする機器が変わる。上記方法では、予め停止させる機器が決められているので、停電中に変更することは困難である。
【先行技術文献】
【特許文献】
【０００８】
【特許文献１】特開平９−１９１５６５号公報（図１）
【特許文献２】特開２００９−１５９６５５号公報（図１）
【特許文献３】特開２０１０−２９００４号公報（図１）
【発明の概要】
【発明が解決しようとする課題】
【０００９】
この発明は、上述のような課題を解決するためになされたもので、ユーザーが停電時に通電するか遮断するかを選択し、停電時においてもその選択の変更を可能にする電源遮断装置を、低コストで実現することを目的とする。
【課題を解決するための手段】
【００１０】
この発明に係る電源遮断装置は、電力を消費する負荷が接続される出力端子と、出力端子の一側を常時ＯＮ線または停電時ＯＦＦ線のどちらかに接続する選択スイッチと、常時ＯＮ線の電圧である供給電圧を監視し、常時ＯＮ線と常時ＯＦＦ線の間の電路の開閉状態を制御する電圧低下時遮断回路と、電圧低下時遮断回路に作用し電路の開閉状態を初期化するリセット回路とを備えていて、電圧低下時遮断回路は、供給電圧の低下を検出すると停電時ＯＦＦ線を電路から遮断し、その後リセット回路を動作させるまでは供給電圧の変化に関わらず停電時ＯＦＦ線の遮断を保持し、リセット回路を動作させると停電時ＯＦＦ線を電路に接続するものである。
【発明の効果】
【００１１】
本願に関わる電源遮断装置を使えば、常時ＯＮ端子と停電時ＯＦＦ端子のどちらに負荷を接続していても、通常時に負荷は電力の供給を受けられる。停電が起こると、電圧低下時遮断回路が電圧の低下を検知して、停電時ＯＦＦ線への電路が遮断されるので、停電時ＯＦＦ端子に接続していた負荷のみが電力供給を停止される。選択スイッチで常時ＯＮ端子と停電時ＯＦＦ端子の接続を切り換えられるので、ユーザーは、停電時に非常用電源で通電する負荷を簡単に切り換えることができる。また、停電後に復帰する機器を簡単に切り換えることができ、停電の理由や一時的な停電か、地震などの災害による停電か、夜間か昼間かなどの時間帯や曜日、季節などによって、臨機応変に切り換えることができる効果が得られる。さらに、リセット回路が動作されるまで非常時ＯＦＦ線の遮断を維持するので、安全性が確保される。
【図面の簡単な説明】
【００１２】
【図１】この発明を実施するための実施の形態１に係わる直流４８Ｖ用の電源遮断装置の回路構成図である。
【図２】この発明を実施するための実施の形態１に係わる電源遮断装置のＤ−フリップフロップ回路の回路記号と真理値表である。
【図３】実施の形態１に係わる直流４８Ｖ用の電源遮断装置の回路構成を組み込んだテーブルタップの平面図である。
【図４】この発明を実施するための実施の形態２に係わる直流４８Ｖ用の電源遮断装置の回路構成図である。
【図５】この発明を実施するための実施の形態３に係わる交流１００Ｖ用の電源遮断装置の回路構成図である。
【図６】この発明の実施の形態４に係わる交流１００Ｖ用の電源遮断装置の回路構成を組み込んだ分電盤の平面図である。
【図７】この発明の実施の形態５に係わる非常用電源を含めた電源遮断装置の構成図である。
【発明を実施するための形態】
【００１３】
実施の形態１．
図１は、この発明を実施するための実施の形態１に係わる直流４８Ｖ対応の電源遮断装置の回路構成図である。電源遮断装置１００にはＤＣ４８Ｖ電源から一組の受電端子２７を介して電力が供給される。受電端子２７に接続される片方の配電線を共通線、もう一方の配電線を常時ＯＮ線と呼ぶことにする。この実施の形態では、０Ｖ電位の配電線を共通線２６、４８Ｖ電位の配電線を常時ＯＮ線２としている。電圧低下時遮断回路１は破線によってその範囲が示されている。電圧低下時遮断回路１は商用電源や非常用電源などの電力供給側に近い常時ＯＮ線２と、負荷側に近い停電時ＯＦＦ線３の間にあって、電圧低下時には停電時ＯＦＦ線３を遮断する。電圧低下時遮断回路１には、スイッチング素子８、Ｄ−フリップフロップ回路（論理回路）１０、コンパレータ９ｂが主要素子として含まれている。電圧低下時遮断回路１は単純な回路と安価な素子で構成されている。
【００１４】
停電時選択スイッチ６は常時ＯＮ端子４、停電時ＯＦＦ端子５、共通端子６ｂを備えている。停電時選択スイッチ６の共通端子６ｂは出力端子７の片側に接続されている。常時ＯＮ端子４を選ぶと、共通端子６ｂは常時ＯＮ線２に接続される。停電時ＯＦＦ端子５を選ぶと、共通端子６ｂは停電時ＯＦＦ線３に接続される。負荷のユーザーは、停電時でも動かしておかなければならない機器を使う際には停電時選択スイッチ６を常時ＯＮ端子４側にする。停電時には停止しても良い機器、あるいは、地震などによる停電の場合に、系統が復帰してもＯＮになってもらっては困る電気ストーブなどの機器を使用する際には停電時選択スイッチ６を停電時ＯＦＦ端子５側にする。
【００１５】
図中には停電時選択スイッチ６と出力端子７が２組示されている。出力端子７の片端側には共通線２６が、別の片端側には常時ＯＮ線２または停電時ＯＦＦ線３が接続される。停電時選択スイッチ６は出力端子７のそれぞれに設けられている。使用者は使用する負荷（装置、機器）を、出力端子７に接続する。右側の出力端子７は常時ＯＮ端子４側に設定され、左側の出力端子７は停電時ＯＦＦ端子５側に設定されている。常時ＯＮ線２はＤＣ４８Ｖ電源のプラス（４８Ｖ）側に、共通線２６はＤＣ４８Ｖ電源のマイナス（０Ｖ）側に、それぞれ接続されている。常時ＯＮ端子４と停電時ＯＦＦ端子５のどちらを選んでも、通常時であれば負荷は電力の供給を受けられる。
【００１６】
比較回路９は常時ＯＮ線２の電圧を監視し、供給電圧が基準電圧を満たすか否かを判断する。比較回路９は反転回路９ａ、コンパレータ９ｂ、コンパレータ用クランプ１３、分割抵抗等で構成されている。コンパレータ９ｂのプラス側端子（＋）にはモニタする電圧が入力され、マイナス側端子（−）には比較電圧が入力される。コンパレータ９ｂはプラス側端子（＋）の電位と、マイナス側端子（−）の電位を比較し、プラス側端子（＋）の電圧がマイナス側端子（−）の電圧よりも高い場合には正の信号（第１の信号）を出力し、逆の場合は負の信号（第２の信号）を出力する。比較電圧にはコンパレータ用クランプ１３で２０Ｖにし、抵抗で分圧された電圧が使用されている。コンパレータ９ｂはモニタ電圧が２０Ｖ以下にまで低下した場合に出力が反転する。以上のようにしてコンパレータ９ｂの出力から出力端子７に供給される電圧が基準電圧よりも低いか否かを判断できる。
【００１７】
コンパレータ９ｂの出力は、反転回路９ａを介して、Ｄ−フリップフロップ回路１０に入力される。Ｄ−フリップフロップ回路１０は反転回路９ａの入力とリセット回路の入力に対応する出力（第３の信号または第４の信号）を発信する。比較回路９（コンパレータ９ｂ）が電圧低下を検知すると、Ｄ−フリップフロップ回路１０はスイッチング素子８を閉状態から開状態に切り換える。スイッチング素子８にはＩＧＢＴ（Insulated Gate Bipolar Transistor）、ＭＯＳＦＥＴ（Metal-Oxide-Semiconductor Field-Effect Transistor）などが用いられる。Ｄ−フリップフロップ回路１０は、非常用電源から電源線を通じて送られてきた情報（瞬時の低電圧）を記憶し、電圧が復帰してもスイッチング素子８への信号（第４の信号）をそのままに維持する。
【００１８】
リセット回路１１はＤ−フリップフロップ回路１０に接続されている。リセットボタン１２が押された時にのみ、Ｄ−フリップフロップ回路１０は解除され、初期化される。解除されると、Ｄ−フリップフロップ回路１０はスイッチング素子８へ正常時の信号（第３の信号）を送って、停電時ＯＦＦ線３を復帰させる。これにより、電源が復帰しても、リセットボタン１２が押されない限り停電時ＯＦＦ線３には電力は供給されないことになる。５Ｖ出力用クランプ１４は、Ｄ−フリップフロップ回路１０およびリセット回路１１に必要なＤＣ５Ｖを供給する。
【００１９】
図２は、Ｄ−フリップフロップ回路１０の回路記号と真理値表（左から右に時系列）を示している。図には反転回路９ａ等のＤ−フリップフロップ回路１０の周辺回路も描かれている。「０」は開状態、「１」は閉状態を示す。真理値表１５において、「０／１」は入力「ＣＬＫ」が「０」から「１」に反転する場合を意味している。同様に「１／０」は入力「ＣＬＫ」が「１」から「０」に反転する場合を意味している。「Ｄ」はグラウンドに接続され、「ＰＲ」には電力が供給される。リセット回路１１は「ＣＬＲ」に接続されている。リセットボタン（またはリセットＳＷ）１２がＯＦＦ状態であれば「ＣＬＲ」は「１」、ＯＮ状態であれば「ＣＬＲ」は「０」が対応する。Ｄ−フリップフロップ回路１０の素子として、市販の安価な部品である汎用Ｄ−ＦＦを用いることができる。
【００２０】
コンパレータ９ｂの出力は反転回路９ａを介してＤ−フリップフロップ回路１０の「ＣＬＫ」に入力される。Ｄ−フリップフロップ回路１０は「Ｑ」に出力する。非常用電源から電源線を通じて瞬時の低電圧を比較回路９（コンパレータ９ｂ）が検知すると、「Ｑ」は「１」から「０」に反転する。Ｄ−フリップフロップ回路１０はコンパレータ９ｂの出力が元に戻って、「ＣＬＫ」が元に戻っても、「Ｑ」への出力を維持し、手動のリセットボタン１２がＯＮにされて初めて、「Ｑ」を初期の状態に戻す。これにより、電圧が復帰してもスイッチング素子８への信号はそのままに維持される。
【００２１】
地震などで停電し、建物が損壊した後、停電が復帰した場合に、電気ストーブなどの発熱源が電力復帰すると、廻りに可燃物があったり、電気ストーブが倒れていたりすると、火災の恐れがあるが、実施の形態１の電源遮断装置によれば、リセットボタン１２が押されない限り、復帰せず、安全が保たれる。
【００２２】
図３は、実施の形態１に係わるＤＣ４８Ｖ用電源遮断装置の回路構成を組み込んだテーブルタップの平面図である。テーブルタップ１６は、停電時選択スイッチ６、出力端子７、リセットボタン１２、テーブルタップケーブル１７、表示ランプ１８を備えている。一つの出力端子７には一つの停電時選択スイッチ６が必要である。ここでは、出力端子７と停電時選択スイッチ６が４組設けられている。停電時選択スイッチ６とリセットボタン１２は、テーブルタップ１６の筐体（本体）の外側に互いに近接して設けられていて、手動で操作できる。表示ランプ１８は、常時は黄色、停電時には赤色が点灯する。表示ランプ１８は、暗闇でもテーブルタップ１６の存在場所をユーザーに分かりやすく表示し、停電ではあるが、非常用電源による電力供給を受けていることを知らせることができる。
【００２３】
ユーザーは、テーブルタップ１６の停電時選択スイッチ６によって、テーブルタップ１６に機器の入力端子を繋ぐ場合に、停電時にＯＮにするのかＯＦＦにするのかを選択できる。停電時でもＯＮのままにしておく必要があると判断した負荷に対しては、停電時選択スイッチ６を常時ＯＮ側にし、電気ストーブなど、停電時にはＯＦＦにした方が良いと判断した場合には、停電時選択スイッチ６を停電時ＯＦＦ側にする。図３では、左側の３個の出力端子７は停電時ＯＦＦ状態に、残りの一個の出力端子７は常時ＯＮ（停電時ＯＮ）状態に設定されている。
【００２４】
実際に、停電が起こった場合を想定する。非常用電源に余裕があり、真冬で、暖房の必要がある場合には、テーブルタップ１６で停電時選択スイッチ６を停電時ＯＦＦ側から、常時ＯＮ側に切り換えることができる。また、昼間で、人感センサーのついた自動点灯式の照明を常時ＯＮ側ではなく、停電時ＯＦＦ側にしてよいと判断した場合には、非常用電源の電力節約のため、テーブルタップ１６で停電時選択スイッチ６を常時ＯＮ側から、停電時ＯＦＦ側に切り換えることができる。
【００２５】
さらに、本発明の電源遮断装置によれば、非常用電源の電力節約のため、常時ＯＮが不要になった機器を停電時ＯＦＦ側に切り換えたり、逆に必要になった機器を常時ＯＮに切り換えることが容易にできる。商用電源が復帰しても、リセットボタン１２を押さないと、通電が復帰しないので、安全を確認した上で、リセットボタン１２を押して通電させることができる。
【００２６】
実施の形態１では、図１の回路をテーブルタップ１６に適用した場合を示したが、機械装置やＯＡ機器用のタップや、壁コンセントでもよく、同様の効果が得られる。また、コンセントではなく、商用電源を、ブレーカを介して小規模の複数の漏電ブレーカに分岐した分電盤に適用してもよく、同様の効果が得られる。分電盤の場合には、停電時選択スイッチ６と負荷側の出力端子７との間に漏電ブレーカを介在させることで、停電時選択スイッチ６側での漏電電流や過剰電流によるスイッチング素子８の損傷を防止することができる。
【００２７】
実施の形態２．
図４は、この発明を実施するための実施の形態２に係わる直流４８Ｖ用電源遮断装置の回路構成図である。実施の形態１では、常時ＯＮ端子４と停電時ＯＦＦ端子５のどちらかにスイッチする２端子タイプの停電時選択スイッチを示したが、停電時選択スイッチを３端子タイプとしてもよい。停電時選択スイッチ６ａは常時ＯＦＦ端子６ｃを有していて、常時ＯＦＦ端子６ｃは接続先が開放されているか、共通線２６に接続されている。共通線２６に対して常時ＯＦＦ端子６ｃはゼロ電位点になるため、出力端子７からは電力を供給できない。常時ＯＦＦ端子６ｃを選択するとコンセントに負荷を繋いだ状態で、負荷の完全な電源ＯＦＦ状態が確実に実現されるので、安全性を確保する効果が得られる。
【００２８】
停電時選択スイッチ６ａにＬＥＤランプをつけることも考えられる。ＬＥＤランプを、常時ＯＦＦ６ｃ側では点灯しない、常時ＯＮ端子４側では赤色に点灯する、停電時ＯＦＦ端子５側では緑色に点灯するようにすれば、暗闇でも、ユーザーに分かりやすく表示することができる。ユーザーはこれを基に、停電時でも、常時ＯＦＦ、常時ＯＮ、停電時ＯＦＦを必要に応じて容易に切り換えることができる。
【００２９】
リセットボタン１２は、テーブルタップ、分電盤に直接設けるのではなく、非常用電源側や商用電源の配電盤側にあって、有線や無線を用いた信号伝達によってリセット回路１１ａを遠隔操作して動作するようにしてもよい。図４では、電源遮断装置１００の筐体１００ａの外部にリセットボタン１２が設けられていることを示している。リセットボタン１２は信号線２５によって本体と繋がれているので、リセット回路１１ａは遠隔操作できる。工場やオフィスビルなどでは、遠隔操作で多数のリセット回路１１ａを動作させることによって、機器の回復に要する時間の短縮を図ることができる。
【００３０】
実施の形態３．
図５は、この発明を実施するための実施の形態３に係わる交流１００Ｖ用電源遮断装置の回路構成図である。図１の直流用の電源遮断装置とは、素子の一部が異なるが、基本的な機能は同じである。コンパレータ９ｂには、ＡＣ／ＤＣ変換器（コンバータ）２０の出力が入力される。変圧器１９は、交流の電圧を１／１０に低下させて取り扱いを容易にすると共に、ＡＣ／ＤＣ変換器２０を商用電源（ＡＣ１００Ｖ）から絶縁して直流側のアース接続を容易にする。ＡＣ／ＤＣ変換器２０は、図１の直流回路での電圧低下時遮断回路１とほぼ同じ構成を可能にする。
【００３１】
機能的には、実施の形態１と同じであり、直流配電か交流配電かの違いになる。交流を変圧器１９とＡＣ／ＤＣ変換器２０を用いて直流に変換しているので、耐圧の低い安価な素子で回路構成することを実施の形態３では実現している。
【００３２】
図６は、この発明の実施の形態３に係わる交流１００Ｖ用電源遮断装置の回路構成を組み込んだ分電盤の平面図である。分電盤４０は、リセットボタン１２、表示ランプ１８、主ブレーカ２１、子ブレーカ２２を備えている。主ブレーカ２１の一次側は電力供給側に繋がれる。主ブレーカ２１からは子ブレーカ２２が分岐している。この例では、主ブレーカ２１は６個の子ブレーカ２２を束ねている。主ブレーカ２１の二次側に電圧低下時遮断回路１、リセットボタン１２、および表示ランプ１８が組み込まれている。図５の出力端子７に子ブレーカ２２の一次側の端子が接続されていることになる。
【００３３】
停電時選択スイッチ６はそれぞれの子ブレーカ２２の一次側に設けられていて、子ブレーカ２２の一つの端子を常時ＯＮ線または停電時ＯＦＦ線のどちらかに接続する。分電盤４０では、ユーザーは、テーブルタップの停電時選択スイッチ６によって、子ブレーカ２２に機器の入力端子を繋ぐ場合に、停電時にＯＮにするのかＯＦＦにするのかを判断し、停電時でもＯＮのままにしておく必要があると判断した負荷に対しては、停電時選択スイッチ６を常時ＯＮ側にし、停電時にはＯＦＦにした方が良いと判断した場合には、停電時選択スイッチ６を停電時ＯＦＦ側にする。
【００３４】
リセットボタン１２は、分電盤４０ではなく、非常用電源側にあって、有線や無線を用いた信号伝達によってリセット回路１１を起動させてもよい。遠隔操作によって、例えば、工場やオフィスビル全体の分電盤を瞬時にリセットすることができ、時間の短縮を図ることができる。
【００３５】
なお、実施の形態３では、単相交流の場合について示したが、工場などで一般に使用される３相交流でもよく、変圧器１９などを３相交流用に変更すれば、簡単な回路と安価な素子で、実施の形態２と同様の構成とすることができ、同様の効果が得られる。
【００３６】
実施の形態４．
図７は、この発明を実施するための実施の形態４に係わる非常用電源を含めた電源遮断装置の構成図である。電力供給電源と分電盤もしくはコンセント（交流および直流）の間に非常用電源２３が設けられている。電力供給電源は３相交流配電、単相交流配電、直流配電の３通りを図示している。直流配電は、データセンターなど直流機器を数多く用いる場合などに多く配線される。分電盤もしくは、コンセント（壁コンセント、テーブルタップを含む）のそれぞれに、本発明に係わる電源遮断装置が組み込まれており、ユーザーは、停電事故が起こった場合に、常時通電するかどうかをブレーカもしくはコンセントごとに判断して、停電時選択スイッチ６を選択する。
【００３７】
停電事故が起こると、非常用電源２３では、各機器が停止に至らない時間範囲の電圧低下が発生する。分電盤、交流コンセント、もしくは直流コンセントでは、それぞれの電圧低下時遮断回路１が作動して、停電時ＯＦＦ線３に通電されなくなり、一挙に負荷が削減される。これによって、電力需要が大幅に削減され、非常用電源２３の必要発電電力量が低下するので、非常用電源２３が例えばディーゼル発電などの場合、出力が完全に上昇するまで待つことなく、短時間で立ち上げて送電を開始することが可能になる。ユーザーは、停電が長引くようであれば、非常用電源２３の余力や燃料の残存量から判断して、停電時選択スイッチ６で負荷を調整できる。
【００３８】
非常用電源２３が、バッテリやキャパシタなどの電力貯蔵デバイスを用いている場合には、本発明に関わる電源遮断装置が負荷を削減するため、より長時間の停電や瞬停に耐えることが可能になる。停電事故から通常時に戻ったと判断した場合、非常用電源２３から、信号線２５を通じて低電圧の復帰用のパルス信号２４を分電盤のリセット回路１１に送って、復帰させる。また、テーブルタップについては、手動式のリセットボタン１２で復帰させる。
【００３９】
マイクログリッドやスマートグリッドと呼ばれる、不安定な太陽光発電や風力発電を大幅に取り入れた系統の配電システムにおいては、系統の電圧が変動して一時的な停電が頻繁に起こる可能性があるので、本発明の電源遮断装置では特に大きな効果が期待できる。
【符号の説明】
【００４０】
１  電圧低下時遮断回路、２  常時ＯＮ線、３  停電時ＯＦＦ線、４  常時ＯＮ端子、５  停電時ＯＦＦ端子、６  停電時選択スイッチ、７  出力端子、８  スイッチング素子、９  比較回路、９ｂ  コンパレータ、１０  Ｄ−フリップフロップ回路、１１  リセット回路、１２  リセットボタン、１３  コンパレータ用クランプ、１４  ５V出力用クランプ、１５  真理値表、１６  テーブルタップ、１７  テーブルタップケーブル、１８  表示ランプ、１９  変圧器、２０  ＡＣ／ＤＣ変換器、２１  主ブレーカ、２２  子ブレーカ、２３  非常用電源、２４  パルス信号、２５  信号線、２６  共通線、１００  電源遮断装置。
【図１】
0005506559.tif 000002
【図２】
0005506559.tif 000003
【図３】
0005506559.tif 000004
【図４】
0005506559.tif 000005
【図５】
0005506559.tif 000006
【図６】
0005506559.tif 000007
【図７】
0005506559.tif 000008